(57)【要約】【課題】本発明は、合成用画像の提供元からの要望を満足するとともに、利用者の満足度を向上することができる写真シール作成装置４、写真シール作成システム１、及び写真シール作成方法を提供することを目的とする。【解決手段】被写体を撮影許容して撮影画像Ｐを作成するカメラ１２と、合成用画像を記憶する記憶部４２と、撮影画像Ｐと合成用画像Ｇ３とを合成した合成画像ＰＧを作成する制御部４１と、合成画像ＰＧから作成した印刷画像ＰＲを印刷するプリンタ４３１とを備えた写真シール作成装置４、及び写真シール作成方法であって、記憶部４２に、所定の制限を登録した制限情報テーブル５０を合成用画像に関連付けて記憶し、遊戯を開始する際、利用者による合成用画像の選択操作を許容するタブレット内蔵モニタ１６と、合成用画像を選択した後の利用者による操作の受付けを制限情報に基づいて制限する制御部４１とを備えたことを特徴とする。【選択図】図７
2014174333.tif 000002
【特許請求の範囲】
【請求項１】
撮影空間内の被写体を撮影して少なくとも１枚の撮影画像を作成する撮影手段と、
前記撮影画像に前記被写体の前景または／及び背景を合成する複数の合成用画像を記憶する記憶手段と、
前記撮影画像と前記合成用画像とを合成した合成画像を作成する合成手段と、
所定の画像をシールに印刷する印刷手段とを備えた写真シール作成装置であって、
前記記憶手段に、
所定の制限を登録した制限情報を前記合成用画像に関連付けて記憶し、
遊戯を開始する際、利用者による前記合成用画像の選択操作を許容する画像選択手段と、
前記合成用画像を選択した後の利用者による操作の受付けを前記制限情報に基づいて制限する操作制限手段とを備えた
写真シール作成装置。
【請求項２】
前記合成画像に対する編集を許容して前記所定の画像を作成する編集手段を備え、
前記制限情報を、
前記合成用画像に対する編集可否とし、
前記操作制限手段を、
前記合成用画像に対する編集が不可の場合、前記編集手段による前記合成画像に対する編集操作の受付けを禁止する構成とした
請求項１に記載の写真シール作成装置。
【請求項３】
前記被写体の撮影回数を選択許容する撮影回数手段を備え、
前記制限情報を、
撮影可能な枚数とし、
前記操作制限手段を、
前記撮影回数手段による撮影回数の選択を前記撮影可能な枚数の範囲において受付ける構成とした
請求項１または請求項２に記載の写真シール作成装置。
【請求項４】
前記記憶手段に、
前記撮影画像の外縁に合成するフレーム画像を記憶し、
利用者による前記フレーム画像を選択許容するフレーム選択手段を備え、
前記制限情報を、
前記合成用画像に対する前記フレーム画像の重ね合わせ枚数とし、
前記操作制限手段を、
前記フレーム選択手段による前記フレーム画像の選択を前記重ね合わせ枚数の範囲において受付ける構成とした
請求項１から３のいずれか１つに記載の写真シール作成装置。
【請求項５】
前記シールに配置される前記所定の画像のレイアウトを選択許容するレイアウト選択手段を備え、
前記制限情報を、
前記シートに配置可能な前記合成用画像の配置枚数とし、
前記操作制限手段を、
前記レイアウト選択手段によるレイアウトの選択を前記配置枚数の範囲において受付ける構成とした
請求項１から請求項４のいずれか１つに記載の写真シール作成装置。
【請求項６】
通信回線と接続する回線接続手段を備えた請求項１から請求項５に記載の写真シール作成装置と、
前記通信回線を介して前記写真シール作成装置と接続するとともに、前記所定の画像に割り当てられた固有の付加情報に基づいて利用者が所有する所有端末に前記所定の画像を配信する配信サーバーとを備えた写真シール作成システムであって、
前記写真シール作成装置に、
前記所定端末の宛先情報を入力許容する宛先入力手段と、
前記宛先情報、及び前記付加情報を関連付けて前記所定の画像を前記配信サーバーに送信する送信手段を備え、
前記制限情報を、
前記合成用画像を用いた前記所定の画像の配信可否とし、
前記操作制限手段を、
前記合成用画像を用いた前記所定の画像が配信不可の場合、前記宛先入力手段による前記宛先情報の入力操作の受付けを禁止する構成とした
写真シール作成システム。
【請求項７】
前記印刷手段を、
前記合成用画像を用いた前記所定の画像が配信可の場合、前記付加情報を背景色とは異なる色で前記シールに印字し、
前記合成用画像を用いた前記所定の画像が配信不可の場合、前記付加情報を背景色と同色で前記シールに印字する構成とした
請求項６に記載の写真シール作成システム。
【請求項８】
前記送信手段を、
前記合成用画像を用いた前記所定の画像が配信不可の場合、前記所定の画像に前記付加情報を関連付けて前記配信サーバーに送信する構成とした
請求項６または請求項７に記載の写真シール作成システム。
【請求項９】
前記配信サーバーに、
少なくとも更新された合成用画像、制限情報、及び合成用画像が更新されたことを示す更新情報を関連付けて記憶するサーバー記憶手段と、
前記写真シール作成装置からの前記更新情報の問い合わせに対して、前記更新情報を前記写真シール作成装置に送信する更新情報送信手段と、
前記更新された合成用画像、及び制限情報を前記写真シール作成装置に配信する更新配信手段を備え、
前記写真シール作成装置に、
前記更新情報を問い合わせる問合せ手段と、
前記更新情報に基づいて前記更新された合成用画像、及び制限情報の配信を前記配信サーバーに対して要求する配信要望手段と、
前記配信サーバーから取得した前記更新された合成用画像、及び制限情報を前記記憶手段に記憶して前記画像選択手段で選択可能にする更新手段を備えた
請求項６または請求項８に記載の写真シール作成システム。
【請求項１０】
撮影空間内の被写体を撮影許容して少なくとも１枚の撮影画像を作成する撮影手段と、前記撮影画像に前記被写体の前景または／及び背景を合成する複数の合成用画像を記憶する記憶手段と、前記撮影画像と前記合成用画像とを合成した合成画像を作成する合成手段と、所定の画像をシールに印刷する印刷手段とを備えた装置を用いた写真シール作成方法であって、
所定の制限を登録した制限情報を前記合成用画像に関連付けて記憶した前記記憶手段の前記合成用画像を、遊戯を開始する際、画像選択手段により利用者に選択操作させて、
操作制限手段により、前記合成用画像を選択した後の利用者による操作の受付けを前記制限情報に基づいて制限する
写真シール作成方法。
【請求項１１】
通信回線と接続する回線接続手段を備えた請求項１から請求項５に記載の写真シール作成装置と、
前記通信回線を介して前記写真シール作成装置と接続するとともに、前記所定の画像に割り当てられた固有の付加情報に基づいて利用者が所有する所有端末に前記所定の画像を配信する配信サーバーとを備えたシステムを用いた写真シール作成方法であって、
前記所定端末の宛先情報を入力許容する宛先入力手段と、前記付加情報を関連付けて前記所定の画像を前記配信サーバーに送信する送信手段を備えた前記写真シール作成装置において、
前記合成用画像を用いた前記所定の画像の配信可否とした前記制限情報が、前記合成用画像を用いた前記所定の画像が配信不可の場合、前記宛先入力手段による前記宛先情報の入力操作の受付けを、前記操作制限手段によって禁止する
写真シール作成方法。
【発明の詳細な説明】
【技術分野】
【０００１】
この発明は、利用者が被写体となった撮影画像を、写真シールとして出力して利用者に提供するような写真シール作成装置、写真シール作成システム、及び写真シール作成方法に関する。
【背景技術】
【０００２】
従来、利用者が被写体となって自らの操作で撮影した撮影画像に、利用者が選択した合成用画像を合成する、あるいはタッチペンを用いて文字などを書き込むなどして編集し、編集した画像を写真シールとして出力することができる写真シール作成装置が娯楽施設などに設置されている（特許文献１参照）。
【０００３】
ところで、昨今、映画館やコンサート会場などにおいて、アニメなどのキャラクターを撮像したキャラクター画像や有名人を撮像した人物画像などを合成用画像とする写真シール作成装置が設置されている。このようなキャラクター画像や人物画像は、映画館やコンサート会場などの設置場所に応じた限定的な内容であり、かつコレクション性も高いため、集客効果を得やすいという利点がある。
【０００４】
しかしながら、このようなキャラクター画像や人物画像などの合成用画像は、デジタルコンテンツとして権利者から提供されていることが多いため、合成用画像の提供元からの要望によって、その利用に関して厳しく制限されていることがある。例えば、合成用画像の利用に関する制限としては、被写体を撮影した撮影画像と合成用画像とを合成した画像に対する落書きなどの編集の禁止、あるいは携帯端末への配布禁止などがある。
【０００５】
このため、合成用画像を合成した画像に対して落書き編集できるような特許文献１に記載の写真シール作成装置では、提供可能なキャラクター画像や人物画像の種類が限られるという問題があった。そこで、キャラクター画像や人物画像ごとに写真シール作成装置を設置した場合、複数台の写真シール作成装置を設置するスペースが必要となるという問題があった。一方、利用者は、所望するキャラクター画像や人物画像と利用者を撮像した撮影画像とを合成した写真シールを取得できず、写真シール作成装置を用いた遊戯を十分楽しむことができないという問題があった。
【先行技術文献】
【特許文献】
【０００６】
【特許文献１】特開２００８−２７８１２３号公報
【発明の概要】
【発明が解決しようとする課題】
【０００７】
本発明は、上述の問題に鑑み、合成用画像の提供元からの要望を満足するとともに、利用者の満足度を向上することができる写真シール作成装置、写真シール作成システム、及び写真シール作成方法を提供することを目的とする。
【課題を解決するための手段】
【０００８】
この発明は、撮影空間内の被写体を撮影して少なくとも１枚の撮影画像を作成する撮影手段と、前記撮影画像に前記被写体の前景または／及び背景を合成する複数の合成用画像を記憶する記憶手段と、前記撮影画像と前記合成用画像とを合成した合成画像を作成する合成手段と、所定の画像をシールに印刷する印刷手段とを備えた写真シール作成装置、及び写真シール作成方法であって、前記記憶手段に、所定の制限を登録した制限情報を前記合成用画像に関連付けて記憶し、遊戯を開始する際、利用者による前記合成用画像の選択操作を許容する画像選択手段と、前記合成用画像を選択した後の利用者による操作の受付けを前記制限情報に基づいて制限する操作制限手段とを備えたことを特徴とする。
【０００９】
上記合成用画像は、キャラクター画像、あるいは人物画像などのデジタルコンテンツであって、デジタルコンテンツにかかる様々な権利が提供元にある画像とすることができる。  
上記所定の制限は、撮影に関する制限、編集に関する制限、重ね合わせる画像に関する制限、レイアウトに関する制限、あるいは通信回線を介した配信に関する制限などとすることができる。なお、重ね合わせる画像とは、フレーム画像やデコレーション画像などとすることができる。
【００１０】
上記画像選択手段は、複数の合成用画像から所望する合成用画像を選択許容する手段、あるいは所定条件で合成用画像を分類分けして構成した複数のコースから所望するコースを選択許容するとともに、選択したコースから所望する合成用画像を選択許容する手段とすることができる。  
上記所定の画像は、撮影画像、合成画像、合成画像を編集した編集画像、あるいは合成画像または編集画像を所定の位置に配置した印刷画像などとすることができる。  
上記遊戯を開始する際とは、利用者による硬貨の投入を受付けた際、あるいは撮影手段で利用者を撮影後、次工程を開始する際などとすることができる。
【００１１】
この発明により、合成用画像の提供元からの要望を満足するとともに、利用者の満足度を向上することができる。  
具体的には、遊戯を開始する際、画像選択手段で合成用画像を選択させることで、写真シール作成装置、及び写真シール作成方法は、合成用画像を選択した後工程、例えば、撮影、編集、フレーム画像などの編集用画像と合成画像との合成、あるいは印刷などの工程において、合成用画像の利用に関する制限を操作制限手段で確実に遵守することができる。
【００１２】
さらに、制限情報を合成用画像に関連付けることで、遊戯を開始する際、複数の合成用画像から１つの合成用画像を利用者に選択させる場合であっても、写真シール作成装置、及び写真シール作成方法は、操作制限手段によって、選択された合成用画像ごとに、利用者による操作の受付けを異ならせて制限することができる。
【００１３】
例えば、合成用画像の提供元からの要望により、落書き編集が許容されていない合成用画像の場合、制限情報を編集不可とすることで、写真シール作成装置、及び写真シール作成方法は、利用者による編集操作の受付けを容易に制限することができる。
【００１４】
これにより、写真シール作成装置、及び写真シール作成方法は、合成用画像を選択した後工程において、提供元の意図しない手段で合成用画像が加工されることを防止し、オリジナル性を確保したまま写真シールとして利用者に提供することができる。このため、合成用画像の提供元は、写真シール作成装置に対して、複数種類の合成用画像を安心して提供することができる。
【００１５】
一方、利用者に対して複数種類の合成用画像を提供できることで、写真シール作成装置、及び写真シール作成方法は、所望する合成用画像で利用者がより遊戯を楽しむことができるため、利用者の満足度を向上することができる。  
さらに、写真シール作成装置を設置する設置施設に対して、写真シール作成装置、及び写真シール作成方法は、複数種類の合成用画像を用いた撮影が可能になることによって集客効果を提供することができる。
【００１６】
つまり、写真シール作成装置、及び写真シール作成方法は、合成用画像が権利保護対象であっても、合成用画像の提供元、利用者、及び設置施設という三者に対する満足度を向上することができる。  
従って、写真シール作成装置、及び写真シール作成方法は、合成用画像の提供元からの要望を満足するとともに、少なくとも利用者の満足度を向上することができる。
【００１７】
この発明の態様として、前記合成画像に対する編集を許容して前記所定の画像を作成する編集手段を備え、前記制限情報を、前記合成用画像に対する編集可否とし、前記操作制限手段を、前記合成用画像に対する編集が不可の場合、前記編集手段による前記合成画像に対する編集操作の受付けを禁止する構成とすることができる。  
上記合成画像に対する編集は、利用者による落書き編集、スタンプ画像を貼り付ける編集、あるいはレイアウト変更や加工編集などとすることができる。
【００１８】
この発明により、写真シール作成装置は、合成用画像に対する編集を合成用画像ごとに制限することができ、合成用画像のオリジナル性を確実に保護することできる。さらに、合成画像の編集を不可とした場合であっても、利用者は、合成用画像のキャラクターや人物と共に撮影した写真シールを取得するという遊戯の主目的を達成することができる。  
従って、写真シール作成装置は、合成用画像の編集を不可とした場合であっても、利用者の満足度を低下させることなく、合成用画像の利用に関する制限を遵守することができる。
【００１９】
また、この発明の態様として、前記被写体の撮影回数を選択許容する撮影回数手段を備え、前記制限情報を、撮影可能な枚数とし、前記操作制限手段を、前記撮影回数手段による撮影回数の選択を前記撮影可能な枚数の範囲において受付ける構成とすることができる。  
上記被写体の撮影回数は、被写体の撮り直しを行える回数、あるいは２枚以上の撮影画像を取得するために繰返し行える撮影回数などとすることができる。
【００２０】
この発明により、写真シール作成装置は、撮影回数を制限して、一人あるいは一組あたりの利用時間を短縮することで、利用者の満足度を損なうことなく、利便性を向上することができる。  
具体的には、写真シール作成装置は、利用者の満足度向上のため、何度か撮り直しを可能にしている、あるいは複数枚の撮影画像を取得できることが多い。
【００２１】
ところが、合成用画像がキャラクターや人物の場合、コレクション性が高くなることから、デコレーション画像などの合成用画像の場合に比べて、写真シール作成装置を利用する利用者が増加することがある。このため、一人あるいは一組の利用者あたりの利用時間が増加して、写真シール作成装置を利用したい利用者が長時間待たされることとなり、利用者に対する利便性が低下することがある。特に、撮影と編集とを同一空間で行う写真シール作成装置の場合、利用者の待ち時間がより長くなり、利用者に対する利便性がさらに低下することとなる。
【００２２】
そこで、写真シール作成装置は、撮影回数の選択を撮影可能な枚数の範囲において受付ける、すなわち撮影回数を制限することで、一人あるいは一組の利用者あたりの利用時間を低減することができる。例えば、人気の高い期間限定の合成用画像の場合には、数回の撮り直しを許容するが、取得できる撮影画像を１枚だけにすることで、利用時間の短縮を図ることができる。これにより、期間限定の合成用画像を用いた遊戯をより多くの利用者が楽しむことができる。
【００２３】
さらに、撮影回数を制限した場合であっても、利用者は、合成用画像のキャラクターや人物と共に撮影した写真シールを取得するという遊戯の主目的を達成することができるため、満足度を損なわれることがない。  
従って、写真シール作成装置は、撮影回数を制限して、一人あるいは一組あたりの利用時間を短縮することで、利用者の満足度を損なうことなく、利便性を向上することができる。
【００２４】
また、この発明の態様として、前記記憶手段に、前記撮影画像の外縁に合成するフレーム画像を記憶し、利用者による前記フレーム画像を選択許容するフレーム選択手段を備え、前記制限情報を、前記合成用画像に対する前記フレーム画像の重ね合わせ枚数とし、前記操作制限手段を、前記フレーム選択手段による前記フレーム画像の選択を前記重ね合わせ枚数の範囲において受付ける構成とすることができる。  
上記フレーム画像は、撮影画像の前景側、あるいは背景側に合成される画像とすることができる。  
上記重ね合わせ枚数は、０枚、１枚、あるいは複数枚とすることができる。
【００２５】
この発明により、合成画像にフレーム画像が重なることによる不具合を防止することができる。  
具体的には、例えば、予めフレームがデザインされた合成用画像の場合、合成用画像のフレーム部分にフレーム画像が重なって、そのデザイン性が損なわれることがある。あるいは、合成用画像にフレーム画像が重ね合わせた際、ロゴやコピーライト表記が隠れるおそれがある。このため、合成用画像の利用に関する制限として、フレーム画像の重ね合わせ枚数を制限されることが想定される。
【００２６】
そこで、写真シール作成装置は、操作制限手段により、重ね合わせ枚数の範囲において、フレーム選択手段によるフレーム画像の選択を合成用画像ごとに受付けることで、合成用画像にフレーム画像が重なることによる不具合を防止することができる。このため、写真シール作成装置は、合成用画像の提供元からの要望を満足することができる。
【００２７】
さらに、フレーム画像の重ね合わせ枚数を制限した場合であっても、利用者は、合成用画像のキャラクターや人物と共に撮影した写真シールを取得するという遊戯の主目的を達成することができるため、満足度を損なわれることがない。  
従って、写真シール作成装置は、合成用画像にフレーム画像が重なることで、提供元の要望を満足しない不具合が生じた写真シールが提供されることを防止できる。
【００２８】
また、この発明の態様として、前記シールに配置される前記所定の画像のレイアウトを選択許容するレイアウト選択手段を備え、前記制限情報を、前記シートに配置可能な前記合成用画像の配置枚数とし、前記操作制限手段を、前記レイアウト選択手段によるレイアウトの選択を前記配置枚数の範囲において受付ける構成とすることができる。  
上記配置枚数は、撮影枚数と同数、あるいは撮影枚数と異なる枚数とすることができる。例えば、撮影枚数が１枚で、配置枚数を６枚とすることができる。  
上記レイアウトは、大きさの同じ所定の画像が少なくとも１つ以上配置されたレイアウト、あるいは大きさの異なる所定の画像が少なくとも１つ以上配置されたレイアウトとすることができる。
【００２９】
この発明により、例えば、提供元の要望によって１枚のシールに対して許容される合成用画像の枚数が制限された場合であっても、所定の画像が適切に配置された写真シールを利用者に提供することができる。
【００３０】
具体的には、写真シールのレイアウトは、１枚のシールに対して何枚、あるいは何種類の所定の画像を配置するかによって決定される。このため、１枚のシールに配置可能な合成用画像の枚数が制限される、つまり、１枚のシールに配置可能な所定の画像の枚数が制限される場合、配置可能な合成用画像の枚数に応じて利用者が選択可能なレイアウトを制限する必要がある。
【００３１】
そこで、写真シール作成装置は、写真シールに配置可能な合成用画像の枚数を制限された場合、操作制限手段によって利用者が選択可能なレイアウトを合成用画像ごとに制限することで、一枚のシールに所定の画像を適切に配置できないようなレイアウトを利用者が誤って選択することを防止できる。
【００３２】
さらに、利用者が選択可能なレイアウトを制限した場合であっても、利用者は、合成用画像のキャラクターや人物と共に撮影した写真シールを取得するという遊戯の主目的を達成することができるため、満足度を損なわれることがない。
【００３３】
従って、写真シール作成装置は、写真シールに配置可能な合成用画像の枚数を制限された場合、利用者が選択可能なレイアウトを制限することで、利用者の利便性を向上するとともに、所定の画像が適切に配置された見栄えの良い写真シールを利用者に提供することができる。
【００３４】
また、この発明は、通信回線と接続する回線接続手段を備えた上述の写真シール作成装置と、前記通信回線を介して前記写真シール作成装置と接続するとともに、前記所定の画像に割り当てられた固有の付加情報に基づいて利用者が所有する所有端末に前記所定の画像を配信する配信サーバーとを備えた写真シール作成システム、及び写真シール作成方法であって、前記写真シール作成装置に、前記所定端末の宛先情報を入力許容する宛先入力手段と、前記宛先情報、及び前記付加情報を関連付けて前記所定の画像を前記配信サーバーに送信する送信手段を備え、前記制限情報を、前記合成用画像を用いた前記所定の画像の配信可否とし、前記操作制限手段を、前記合成用画像を用いた前記所定の画像が配信不可の場合、前記宛先入力手段による前記宛先情報の入力操作の受付けを禁止する構成としたことを特徴とする。
【００３５】
上記付加情報は、所定の画像、設置場所、選択された合成用画像などを特定する数字を含む文字列、一次元バーコード、あるいは二次元バーコードなどとすることができる。  
上記所有端末は、携帯電話、携帯情報端末、あるいはパソコンなどとすることができる。  
上記宛先情報は、メールアドレスなどとすることができる。  
上記宛先入力手段は、ボタン操作による宛先情報の入力を許容する手段、あるいは非接触通信による宛先情報の入力を許容する手段などとすることができる。
【００３６】
この発明により、合成用画像の提供元からの要望を満足するとともに、利用者の満足度を向上することができる。  
具体的には、合成用画像と撮影画像とを合成した合成画像は、デジタルデータであることから、加工、複製、あるいは配信が容易に可能であり、合成用画像の提供元によっては、これを厳しく制限していることがある。
【００３７】
そこで、写真シール作成システムは、合成用画像を用いた所定の画像が配信不可の場合、宛先情報の入力を禁止することで、利用者への所定の画像の配信を禁止し、合成用画像が提供元の意図しない用途で用いられることを防止できる。これにより、写真シール作成システムは、合成用画像の利用に関する制限を遵守して、提供元からの要望を容易に満足することができる。
【００３８】
さらに、合成用画像を用いた所定の画像の配信を禁止した場合であっても、利用者は、合成用画像のキャラクターや人物と共に撮影した写真シールを取得するという遊戯の主目的を達成することができるため、満足度を損なわれることがない。  
従って、写真シール作成システムは、合成用画像の提供元からの要望を満足するとともに、利用者の満足度を向上することができる。
【００３９】
この発明の態様として、前記印刷手段を、前記合成用画像を用いた前記所定の画像が配信可の場合、前記付加情報を背景色とは異なる色で前記シールに印字し、前記合成用画像を用いた前記所定の画像が配信不可の場合、前記付加情報を背景色と同色で前記シールに印字する構成とすることができる。
【００４０】
この発明により、所定の画像に対する付加情報の割り当てを、合成用画像を用いた所定の画像の配信可否によって決定することを不要にできる。そして、写真シールを利用者に提供する際、合成用画像を用いた所定の画像の配信可否によって、付加情報を容易に可視、あるいは不可視にした写真シールを提供することができる。
【００４１】
このため、例えば、合成用画像を用いた所定の画像の配信可否に関わらず、付加情報、あるいは付加情報を関連付けた所定の画像を配信サーバーに送信することで、写真シール作成システムは、合成用画像の利用状況を容易に把握することができる。これにより、写真シール作成システムは、利用者の性別、年代、グループなどを解析して、より設置場所や利用者により好まれる合成用画像を提供することができる。
【００４２】
この際、合成用画像を用いた所定の画像の配信が可の場合には、付加情報を可視状態で印字した写真シールが利用者に提供されるため、写真シール作成システムは、利用者が所有端末を操作して付加情報に基づいてアクセスすることで、配信サーバーから所定の画像を取得することができる。
【００４３】
一方、合成用画像を用いた所定の画像の配信が不可の場合には、付加情報を不可視状態にした写真シールが利用者に提供されるため、仮に所定の画像が配信サーバーに記憶されていたとしても、写真シール作成システムは、利用者が不正に配信サーバーにアクセスして所定の画像を取得することを防止できる。
【００４４】
従って、写真シール作成装置は、合成用画像を用いた所定の画像の配信可否によって、付加情報を容易に可視状態、あるいは不可視状態にした写真シールを提供するとともに、仮に付加情報が配信サーバーに記憶されていても、意図しないアクセスを防止することができる。
【００４５】
また、この発明の態様として、前記送信手段を、前記合成用画像を用いた前記所定の画像が配信不可の場合、前記所定の画像に前記付加情報を関連付けて前記配信サーバーに送信する構成とすることができる。
【００４６】
この発明により、写真シール作成システムは、設置場所ごとに人気の合成用画像、合成用画像の利用率、利用者の性別、グループなどを一括して容易に把握することができる。このため、写真シール作成システムは、より利用者が所望する合成用画像や、設置場所に適した合成用画像を提供することができる。
【００４７】
この際、上述したように合成用画像を用いた所定の画像の配信が不可の場合、付加情報を不可視状態にした写真シールを利用者に提供することで、写真シール作成システムは、配信サーバーに記憶された所定の画像に対して、利用者による意図しないアクセスが行われることを防止できる。  
従って、写真シール作成システムは、利用者がより所望する合成用画像の提供をより容易にして、利用者の満足度を向上することができる。
【００４８】
また、この発明の態様として、前記配信サーバーに、少なくとも更新された合成用画像、制限情報、及び合成用画像が更新されたことを示す更新情報を関連付けて記憶するサーバー記憶手段と、前記写真シール作成装置からの前記更新情報の問い合わせに対して、前記更新情報を前記写真シール作成装置に送信する更新情報送信手段と、前記更新された合成用画像、及び制限情報を前記写真シール作成装置に配信する更新配信手段を備え、前記写真シール作成装置に、前記更新情報を問い合わせる問合せ手段と、前記更新情報に基づいて前記更新された合成用画像、及び制限情報の配信を前記配信サーバーに対して要求する配信要望手段と、前記配信サーバーから取得した前記更新された合成用画像、及び制限情報を前記記憶手段に記憶して前記画像選択手段で選択可能にする更新手段を備えることができる。  
上記更新情報は、更新日時やファイルバージョンなどとすることができる。
【００４９】
この発明により、写真シール作成装置に記憶される合成用画像を適宜のタイミングで自動的に変更、あるいは追加することができる。これにより、例えば、映画館などであれば、上映内容に応じて合成用画像を自動的に変更することができる。このため、施設を利用する利用者が所望する合成用画像を、適切なタイミングで利用可能な状態にすることができる。加えて、古い合成用画像を適切なタイミングで削除できるため、合成用画像の提供元が定めた提供期間を超えて利用者に合成用画像が提供されることを防止できる。
【００５０】
従って、写真シール作成システムは、合成用画像を自動的に更新、あるいは追加することで、利用者の満足度を向上することができる。
【発明の効果】
【００５１】
本発明により、合成用画像の提供元からの要望を満足するとともに、利用者の満足度を向上できる写真シール作成装置、写真シール作成システム、及び写真シール作成方法を提供することができる。
【図面の簡単な説明】
【００５２】
【図１】写真シール作成システムにおける構成を示す構成図。
【図２】写真シール作成装置における上方からの外観を示す外観斜視図。
【図３】前部ユニットにおける利用者と対面する面の構成を示す前部ユニット正面図。
【図４】写真シール作成システムにおける内部構成を示すブロック図。
【図５】写真シール作成装置における内部構成を示すブロック図。
【図６】制限情報テーブルの構成を示す構成図。
【図７】写真シール作成ゲーム処理における動作を示すフローチャート。
【図８】利用者にコース選択を促す画面を示すコース選択画面。
【図９】選択したコースにおける画像選択を促す画面を示す画像選択画面。
【図１０】合成画像を説明する説明図。
【図１１】利用者による合成画像の編集操作を許容する画面を示す編集画面。
【図１２】シール紙に配置する印刷画像のレイアウト選択を促す画面を示すレイアウト選択画面。
【図１３】メールアドレスの入力を促す画面を示すアドレス入力画面。
【図１４】ＩＤ情報を可視状態で印字した写真シールを説明する説明図。
【図１５】ＩＤ情報を不可視状態で印字した写真シールを説明する説明図。
【図１６】写真シール作成装置における電源投入更新処理の動作を示すフローチャート。
【図１７】配信サーバーにおける更新データ配信処理の動作を示すフローチャート。
【発明を実施するための形態】
【００５３】
この発明の一実施形態を以下図面と共に説明する。  
まず、本実施形態に用いる写真シール作成システム１について図１から図３を用いて説明する。  
なお、図１は写真シール作成システム１における構成図を示し、図２は写真シール作成装置４における上方からの外観斜視図を示し、図３は前部ユニット１０における利用者と対面する面の前部ユニット正面図を示している。  
また、図２において、図中の右方向を写真シール作成装置４の前方とし、図中の左方向を写真シール作成装置４の後方とする。
【００５４】
写真シール作成システム１は、図１に示すように、通信回線２を介して相互に接続された配信サーバー３と、複数の写真シール作成装置４とで構成している。  
通信回線２は、ＬＡＮ回線、専用回線、インターネット回線などで構成している。
【００５５】
配信サーバー３は、写真シール作成装置４に対して遠隔地に設置され、複数の写真シール作成装置４との間において、各種情報の受け渡しを行う機能と、写真シール作成装置４を利用した利用者の要望により利用者が所有する携帯電話５に画像データを配信する機能とを有している。
【００５６】
写真シール作成装置４は、図２に示すように、利用者が硬貨を投入して実際に撮影する、所謂、撮影編集ブースである。より詳しくは、写真シール作成装置４は、筐体（図示省略）に対して、利用者と対面する前部ユニット１０、前部ユニット１０に対して前後方向に所定の間隔を介して配置した後部ユニット２０、及び後部ユニット２０の上部に配置した背景カーテンユニット３０を組付けて構成している。さらに、写真シール作成装置４は、前部ユニット１０、後部ユニット２０、及び背景カーテンユニット３０で囲まれた空間を撮影空間Ｓとして構成している。
【００５７】
前部ユニット１０の利用者と対面する面は、図３に示すように、略中央に上部ストロボ１１、カメラ１２、及びモニタ１３を上方からこの順番で配置し、その周囲に傘状ストロボ１４（１４ａ〜１４ｄ）を配置している。さらに、傘状ストロボ１４の下方に１組のスピーカ１５、モニタ１３の下方にタブレット内蔵モニタ１６、及び利用者が編集作業に用いる一対のタッチペン１７を配置して構成している。
【００５８】
さらに、前部ユニット１０における向かって右側下方には、利用者が投入する硬貨の受け付け及び返却の機能を有する硬貨投入返却口１８を備えるとともに、前部ユニット１０における右側面には、写真シール排出口１９を備えている（図２参照）。
【００５９】
上部ストロボ１１は、カメラ１２の上部に配置して、撮影のタイミングに合わせて発光する機能を有している。  
カメラ１２は、撮影空間Ｓ（後部ユニット２０）に向けて配置して、撮影空間Ｓで前部ユニット１０と対面する利用者を撮影する機能を有している。
【００６０】
モニタ１３は、カメラ１２の下部に配置して、カメラ１２で撮影する利用者の映像を、後述する合成用画像とともに表示する機能、及び異常の通知や各種設定画面を表示する機能を有している。  
傘状ストロボ１４は、撮影空間Ｓに向けて上部ストロボ１１の左右両側に配置した傘状ストロボ１４ａ，１４ｂと、撮影空間Ｓに向けてモニタ１３の左右両側に配置した傘状ストロボ１４ｃ，１４ｄとで構成し、撮影のタイミングに合わせて発光する機能を有している。
【００６１】
スピーカ１５は、遊戯の進行を案内する音声、及びタブレット内蔵モニタ１６を用いた各種操作案内の音声などを出力する機能を有している。
【００６２】
タブレット内蔵モニタ１６は、遊戯にかかる利用者の各種操作を受け付ける機能と、遊戯の進行を案内する操作案内メッセージなどを表示する機能、及び利用者による落書きなどの編集作業を受け付ける機能を有している。  
写真シール排出口１９は、後述する撮影画像と合成用画像を合成した合成画像、あるいは利用者がタブレット内蔵モニタ１６で編集した編集画像を印刷したシール紙４３３を排出する機能を有している。なお、写真シール排出口１９の内部には、後述するプリンタ４３１とシール紙ユニット４３２とを内蔵している。
【００６３】
また、後部ユニット２０は、図２に示すように、前部ユニット１０に対面するとともに、撮影空間Ｓを挟んで写真シール作成装置４の後部に配置している。この後部ユニット２０は、利用者が実際に撮影する際の背景としての機能を有するユニットである。さらに、後部ユニット２０の背面には、広告用モニタ２１、一組のスピーカ２２、及びポスターなどの紙媒体を掲示する掲示部２３を備えている。
【００６４】
広告用モニタ２１は、順番を待つ利用者、あるいは印刷されたシール紙４３３の排出を待つ利用者に対して広告などを表示する機能を有している。  
スピーカ２２は、広告用モニタ２１の表示される画面に合わせて音声を出力する機能を有している。  
なお、広告用モニタ２１及びスピーカ２２には、後述する合成用画像にちなんだ内容の広告を表示することで、集客効果を得ることができる。
【００６５】
背景カーテンユニット３０は、図２に示すように、後部ユニット２０における撮影空間Ｓ側の上部に配置され、モータ駆動（図示省略）によって昇降するロール状の背景カーテン（図示省略）を内部に収容している。この背景カーテンは、単一色のカーテンであって、クロマキー合成による合成画像を撮影する際の背景として機能する。
【００６６】
次に、上述した写真シール作成システム１の内部構成について、図４から図６を用いて詳しく説明する。  
なお、図４は写真シール作成システム１における内部構成のブロック図を示し、図５は写真シール作成装置４における内部構成のブロック図を示し、図６は制限情報テーブル５０の構成図を示している。  
また、上述した構成要素と同じ構成要素については、同じ符号を付しているので、その詳しい説明は省略する。
【００６７】
配信サーバー３の内部構成は、図４に示すように、サーバー記憶部３１と、サーバー通信部３２と、サーバー制御部３３とを所定のバスで接続して構成している。  
サーバー記憶部３１は、ハードディスクなどで構成し、写真シール作成装置４から送信された印刷画像を記憶する機能と、印刷画像を読み出す機能とを有している。
【００６８】
サーバー通信部３２は、通信回線２を介して写真シール作成装置４や携帯電話５と通信するＬＡＮカード等の通信装置で構成し、写真シール作成装置４や携帯電話５と通信回線２を介して各種情報の受け渡しを行う機能を有している。
【００６９】
サーバー制御部３３は、ＣＰＵ、及びメモリ等のハード構成と、プログラム、及びデータ等のソフト構成とで構成し、通信回線２を介した写真シール作成装置４や携帯電話５との各種情報の受け渡しにかかる各種処理機能や、所定のバスを介して接続された各部の動作を制御する制御機能を有している。
【００７０】
また、写真シール作成装置４の内部構成は、図４に示すように、制御部４１、記憶部４２、通信部４３、ドライブ４４、ＲＯＭ４５、ＲＡＭ４６、撮影部４１０、編集部４２０、事後接客部４３０、及び広告部４４０で構成している。  
より詳しくは、図５に示すように、制御部４１は、各部の動作の制御、プログラムの実行処理、撮影画像と合成用画像とを合成して合成画像を取得するクロマキー合成処理などを行う機能、及び撮影画像あるいは合成画像に対して編集した内容を反映した編集画像やシール紙４３３に印刷する印刷画像を作成する機能を有している。
【００７１】
記憶部４２は、ハードディスクなどの記憶装置で構成している。この記憶部４２は、編集処理に使用する編集ツールのデータ、照明設定データ、撮影コースのデータ、広告用モニタ２１に表示する広告データ、およびプレイ時間設定データなどの各種データを記憶しており、制御部４１による設定情報の読み込みおよび保存を許容する。
【００７２】
さらに、記憶部４２には、利用者を撮影した撮影画像に合成される複数の合成用画像と、合成用画像の利用に関する制限を登録した制限情報テーブル５０とを関連付けて記憶している。なお、合成用画像は、キャラクター画像、あるいは人物画像などのデジタルコンテンツであって、デジタルコンテンツにかかる様々な権利が提供元にある画像である。
【００７３】
制限情報テーブル５０は、合成用画像の利用、及び合成用画像を用いて作成した画像に関して、撮り直し回数に関する制限、撮影画像として取得できる枚数に関する制限、フレーム画像の重ね合わせに関する制限、落書き編集に関する制限、１枚のシール紙４３３に対するレイアウトの制限、及び利用者の携帯電話５への配信に関する制限を関連付けて登録している。
【００７４】
より詳しくは、制限情報テーブル５０は、図６に示すように、合成用画像を所定条件で分類分けして構成したコース名を登録するコース名欄、合成用画像名を登録する合成用画像名欄、１回の撮影で撮り直しを許容する回数を登録する撮り直し回数欄、撮影を繰返して取得できる撮影画像の枚数を登録する撮影枚数欄、重ね合わせ可能なフレーム画像の枚数を登録するフレーム画像欄、落書き編集の可否を登録する落書き編集欄、１枚のシール紙４３３に印刷可能な最大枚数を登録する印刷レイアウト欄、及び携帯電話５への配信可否を登録する携帯配信欄を関連付けて構成している。
【００７５】
通信部４３は、通信回線２を介して配信サーバー３と通信するＬＡＮカード等の通信装置で構成し、配信サーバー３と通信回線２を介して各種情報の受け渡しを行う機能を有している。  
ドライブ４４は、携帯型の不揮発性メモリやＵＳＢメモリといったリムーバブルメディア４４ａに対してデータの読み書きを行うドライブ装置で構成している。このドライブ４４は、制御部４１の制御信号に従って、リムーバブルメディア４４ａに記憶している撮影画像や編集画像、あるいは編集用アイテムといったデータを読取る。
【００７６】
ＲＯＭ４５は、写真シール作成装置４で実行するゲームのプログラムやメンテナンス用のプログラムなど、各種プログラムやデータを記憶している。ゲームのプログラムには、撮影コースに応じて照明設定や編集ツールを切り替えるプログラムが含まれている。  
ＲＡＭ４６は、制御部４１の指示により、各種情報を一時記憶する一時記憶領域としての機能を有している。
【００７７】
撮影部４１０は、撮影に関する機能ブロックであり、硬貨処理部４１１、背景制御部４１２、照明装置４１３、カメラ１２、モニタ１３、及びスピーカ１５で構成し、それぞれ所定のバスを介して制御部４１と接続している。  
硬貨処理部４１１は、制御部４１の指示により硬貨の投入を受け付ける処理と、硬貨投入返却口１８で受け付けた硬貨の種類、枚数を識別して、識別結果を制御部４１に送信する処理を行う。
【００７８】
背景制御部４１２は、制御部４１から受信した背景制御信号に従って背景カーテンユニット３０を制御し、背景カーテンを昇降させて背景色を制御する。  
照明装置４１３は、制御部４１から受信した照明制御信号に従い、上部ストロボ１１、及び傘状ストロボ１４を撮影タイミングにあわせて発光して撮影空間Ｓ内を照明する機能を有している。
【００７９】
編集部４２０は、編集に関する機能ブロックであり、タブレット内蔵モニタ１６、及び１対のタッチペン１７で構成し、それぞれ所定のバスを介して制御部４１と接続している。  
タブレット内蔵モニタ１６は、編集用モニタ１６ａと、タブレット１６ｂとで構成している。
【００８０】
編集用モニタ１６ａは、制御部４１の指示により、撮影画像やデモ画面及び広告などを表示する。  
タブレット１６ｂは、利用者がタッチペン１７を用いてタブレット内蔵モニタ１６をタップすると、タッチペン１７がタップした位置情報を取得して、制御部４１に位置情報を送信する。
【００８１】
事後接客部４３０は、編集部４２０で編集した編集画像などから作成した印刷画像をシール紙４３３に印刷するプリンタ４３１、及びシール紙４３３を収納しているシール紙ユニット４３２で構成している。  
プリンタ４３１は、制御部４１から受信する印刷データを、シール紙ユニット４３２に備えられているシール紙４３３に印刷する、及び印刷したシール紙４３３を写真シール排出口１９に排出する機能を有している。
【００８２】
広告部４４０は、後部ユニット２０における機能ブロックであり、広告用モニタ２１、及びスピーカ２２で構成し、それぞれ所定のバスを介して制御部４１と接続している。
【００８３】
次に、写真シール作成装置４における写真シール作成ゲーム処理の動作について、図７から図１５を用いて詳しく説明する。  
なお、図７は写真シール作成ゲーム処理における動作のフローチャートを示し、図８は利用者にコース選択を促すコース選択画面２００を示し、図９は選択したコースにおける画像選択を促す画像選択画面２１０を示し、図１０は合成画像ＰＧを説明する説明図を示し、図１１は利用者による合成画像ＰＧの編集操作を許容する編集画面２２０を示している。
【００８４】
また、図１２はシール紙４３３に配置する印刷画像ＰＲのレイアウト選択を促すレイアウト選択画面２３０を示し、図１３はメールアドレスの入力を促すアドレス入力画面２４０を示し、図１４はＩＤ情報２５１を可視状態で印字した写真シール２５０を説明する説明図を示し、図１５はＩＤ情報２５１を不可視状態で印字した写真シール２５０を説明する説明図を示している。  
なお、図１５中の印刷画像ＰＲにおいて、有名人のような人物を撮像した合成用画像における人物部分を斜線ハッチングにて示している。
【００８５】
まず、写真シール作成装置４の制御部４１は、図７に示すように、写真シール作成ゲーム処理を開始すると、前部ユニット１０のタブレット内蔵モニタ１６に待機画面（図示省略）を表示させたのち、硬貨投入返却口１８に硬貨が投入されたか否かを判定する（ステップＳ１０１）。  
硬貨投入返却口１８に硬貨が投入されなければ（ステップＳ１０１：Ｎｏ）、制御部４１は、処理を戻して硬貨が投入されるまで待機する。
【００８６】
一方、硬貨投入返却口１８にゲーム料金分の硬貨が投入されると（ステップＳ１０１：Ｙｅｓ）、制御部４１の指示により、タブレット内蔵モニタ１６は、制限情報テーブル５０に基づいて、利用者を被写体とした撮影画像に合成する合成用画像の選択を促すコース選択画面２００を表示する（ステップＳ１０２）。
【００８７】
このコース選択画面２００は、図８に示すように、画面上部に「コースを選択してね！」というメッセージと、キャラクターＡで分類した画像群であるＡコースを選択するＡコースボタン２０１と、キャラクターＢで分類した画像群であるＢコースを選択するＢコースボタン２０２と、人物で分類した画像群であるＣコース選択するＣコースボタン２０３とを表示している。なお、各ボタンには、コース名と、キャラクター名とを表示している。
【００８８】
さらに、Ａコースボタン２０１、Ｂコースボタン２０２、及びＣコースボタン２０３の下方には、制限情報テーブル５０に基づいて、各コースに関連付けられた合成用画像の枚数、撮影枚数、落書き、及び携帯配信に関する制限を案内するメッセージを表示している。  
例えば、Ａコースボタン２０１には、キャラクターＡの画像群であることを示す「キャラクターＡ」を表示し、Ａコースボタン２０１の下方には、「画像種類：３種類」、「撮影枚数：２枚」、「落書き：可」、「携帯配信：可」と表示している。
【００８９】
コース選択画面２００を表示すると、制御部４１は、利用者がＡコースボタン２０１、Ｂコースボタン２０２、あるいはＣコースボタン２０３のいずれかが押下されたかを判定する（ステップＳ１０３）。なお、一定時間経過した場合、予め設定したコース、例えばＡコースに対応する処理を開始する。
【００９０】
利用者によりＡコースボタン２０１が押下されると（ステップＳ１０３：１）、制御部４１は、記憶部４２の制限情報テーブル５０を読み出して、利用者が選択したコースに対応する合成用画像名欄に基づいて、利用者に選択させる合成用画像を取得する。ここでは、Ａコースに分類された合成用画像名欄に基づいて、記憶部４２から３枚の合成用画像を取得する。
【００９１】
その後、制御部４１は、Ａコースに分類された３つの合成用画像のうち１つを利用者に選択させる画像選択処理を実行する（ステップＳ１０４）。詳述すると、制御部４１の指示により、タブレット内蔵モニタ１６は、制限情報テーブル５０に基づいて、Ａコースに関連付けられた選択可能な合成用画像を利用者に選択させる画像選択画面２１０を表示する。
【００９２】
この画像選択画面２１０は、図９に示すように、画面上部に「一緒に撮影するイメージを選択してね！」、及び「Ａコース  キャラクターＡ」という案内メッセージを表示するとともに、画面略中央にキャラクターＡのポーズが異なる３種類の合成用画像Ｇ１，Ｇ２，Ｇ３を選択可能に表示した合成用画像表示部２１２，２１３，２１４を表示している。
【００９３】
さらに、画像選択画面２１０には、押下することでコース選択画面２００を表示する戻るボタン２１５を画面左下に表示している。なお、合成用画像表示部２１２，２１３，２１４の下方には、それぞれ表示している合成用画像Ｇ１，Ｇ２，Ｇ３に対応する合成用画像名「Ａ−１」、「Ａ−２」、及び「Ａ−３」を表示している。
【００９４】
利用者により合成用画像Ｇ１，Ｇ２，Ｇ３のいずれか１つが選択されると、制御部４１は、撮影処理を開始する（ステップＳ１０５）。詳述すると、制御部４１は、記憶部４２の制限情報テーブル５０を読み出して、利用者が選択した合成用画像に対応する撮り直し回数欄、及び撮影枚数欄を参照して、それぞれの値を取得する。
【００９５】
そして、制御部４１の指示により、タッチパネル内蔵モニタ１３は、撮影にかかる操作案内や、撮影後、撮影画像を表示して利用者に対して撮り直しを行うか否かを選択許容する撮影案内画面（図示省略）を表示する。
【００９６】
さらに、制御部４１の指示により、モニタ１３は、カメラ１２で取得している動画映像をリアルタイム表示するとともに、画像選択画面２１０で利用者が選択した合成用画像を表示する。このようにして、写真シール作成装置４は、利用者に仕上がりをイメージしたポーズをとらせる。
【００９７】
その後、制御部４１は、モニタ１３の表示とスピーカ１５の音声とによるカウントダウンを行い、このカウントダウンの終了タイミングで照明装置４１３に照明制御信号を送信するとともに、カメラ１２にシャッタ信号を送信する。これにより、照明装置４１３の各ストロボから閃光を照射し、照明された利用者が背景とともに写っている撮影画像をカメラ１２により取得する。
【００９８】
この際、例えば、画像選択処理において利用者が合成用画像Ｇ３を選択した場合、制限情報テーブル５０における合成画像名欄の合成用画像名Ａ−３（合成用画像Ｇ３）に対応する撮り直し回数欄に「２」、撮影枚数欄に「２」が登録されているため、制御部４１は、利用者に対して、一度の撮影処理において撮り直しを２回許容するとともに、撮影処理を２回繰り返して２枚の撮影画像を取得することを許容する。
【００９９】
そして、２枚の撮影画像を取得すると、制御部４１は、利用者が選択した合成用画像と撮影画像とを合成して合成画像を作成する。  
詳述すると、例えば、画像選択処理で利用者が合成用画像Ｇ３を選択した場合、制御部４１は、図１０に示すように、利用者Ｍを撮影した撮影画像Ｐと、合成用画像Ｇ３とを重ね合せるようにして合成することで合成画像ＰＧを作成している。
【０１００】
撮影処理が終了すると、制御部４１は、制限情報テーブル５０を読み出して、利用者が選択した合成用画像に対応するテーブル画像欄から合成画像に重ね合わせて合成可能なフレーム画像の枚数を参照する。ここでは、Ａコースに分類された合成用画像に対応するフレーム画像欄の全てに「２」が登録されているため、制御部４１は、合成画像に重ね合わせる２種類のフレーム画像から１つを利用者に選択させるフレーム画像選択処理を開始する（ステップＳ１０６）。
【０１０１】
詳述すると、制御部４１の指示により、タブレット内蔵モニタ１６は、フレーム画像を選択させるフレーム画像選択画面（図示省略）を表示する。この際、フレーム画像選択画面には、制限情報テーブル５０に登録された２種類のフレーム画像を表示している。
【０１０２】
利用者が所望するフレーム画像を選択する、あるいはフレーム画像を選択せずゲームを進行すると、制御部４１は、制限情報テーブル５０を読み出し、合成用画像に対応する落書き編集欄から落書き編集の可否を参照する。ここでは、Ａコースに分類された合成用画像に対応する落書き編集欄に全て「可」が登録されているため、制御部４１は、合成画像に落書き編集を許容する落書き編集処理を開始する（ステップＳ１０７）。
【０１０３】
詳述すると、制御部４１の指示により、タブレット内蔵モニタ１６は、利用者による落書き編集の操作を許容する編集画面２２０を表示する。  
この編集画面２２０は、二人の利用者それぞれがタッチペン１７を用いて個別に或いは共同して落書き編集を行えるよう編集する合成画像を同時に２枚表示できるように構成している。なお、この同時に表示される落書き編集の対象となる２枚の合成画像は、同一のものであってもよいし、異なるものであってもよい。
【０１０４】
より詳しくは、編集画面２２０は、図１１に示すように画面略中央に、編集する合成画像を切替える画像切替えボタン２２１と、ＢＧＭを切替えるＢＧＭ切替えボタン２２２と、編集ツールを選択するボタン群である編集ツール選択ボタン２２３とを表示している。
【０１０５】
さらに、これらを挟んで左右に、合成画像を縮小表示したサムネイル画像表示部２２４（２２４ａ，２２４ｂ）、編集対象の合成画像ＰＧを表示する編集対象画像表示部２２５（２２５ａ，２２５ｂ）、消しゴムツールやペン設定、あるいは編集作業の進行にかかる各種ボタン群の編集作業ボタン２２６（２２６ａ，２２６ｂ）、スタンプなどの予め容易されたコンテンツの選択するコンテンツパレット２２７（２２７ａ，２２７ｂ）、及び画面上部に押下することで編集作業を終了するおわりボタン２２８（２２８ａ，２２８ｂ）を表示している。
【０１０６】
これらサムネイル画像表示部２２４、編集対象画像表示部２２５、編集作業ボタン２２６、コンテンツパレット２２７、及びおわりボタン２２８によって、二人の利用者それぞれがタッチペン１７を用いて個別に編集作業可能に構成している。
【０１０７】
利用者が合成画像に対して任意に編集を行ったのち、おわりボタン２２８が押下されると、制御部４１は、合成画像を編集した編集画像を印刷画像として一時記憶する。この際、ステップＳ１０６のフレーム画像選択処理において、フレーム画像が選択された場合、選択したフレーム画像も合成した印刷画像として一時記憶する。
【０１０８】
その後、制御部４１は、制限情報テーブル５０を読み出し、選択された合成用画像に対応する印刷レイアウト欄から１枚のシール紙４３３に印刷可能な画像の枚数を参照する。ここでは、Ａコースに分類された合成用画像に対応する印刷レイアウト欄の全てに「４」が登録されているため、制御部４１は、最大４分割の印刷レイアウトを利用者に選択させる印刷レイアウト選択処理を開始する（ステップＳ１０８）。
【０１０９】
詳述すると、制御部４１の指示により、タブレット内蔵モニタ１６は、利用者による印刷レイアウトの選択操作を許容するレイアウト選択画面２３０を表示する。  
このレイアウト選択画面２３０は、図１２に示すように、画面上部に１枚のシール紙４３３に印刷するレイアウト縮小表示部２３１（２３１ａ，２３１ｂ，２３１ｃ）を表示し、画面中央下部に印刷画像ＰＲの印刷イメージを選択されたレイアウトで表示したレイアウト拡大表示部２３２を表示している。
【０１１０】
さらに、レイアウト選択可能な時間をカウントダウンで表示するカウントダウン表示部２３３を画面右上に表示するとともに、レイアウト拡大表示部２３２に表示したレイアウトで印刷することを決定する決定ボタン２３４を表示している。
【０１１１】
なお、レイアウト縮小表示部２３１は、シール紙４３３に対して印刷画像ＰＲを無駄なく配置して見栄えのより写真シールを利用者に提供できるレイアウトパターンを表示している。より詳しくは、制限情報テーブル５０の印刷レイアウト欄に「４」が登録されているため、印刷画像ＰＲを１枚配置するレイアウト縮小表示部２３１ａ、印刷画像ＰＲを４枚配置するレイアウト縮小表示部２３１ｂ、及び印刷画像ＰＲを２枚配置するレイアウト縮小表示部２３１ｃを表示している。
【０１１２】
利用者が印刷レイアウトを選択して決定ボタン２３４を押下すると、制御部４１は、制限情報テーブル５０を読み出して、選択された合成用画像に対応する携帯配信欄から携帯電話への配信可否を参照する。ここでは、Ａコースに分類された合成用画像に対応する携帯配信欄に全て「可」が登録されているため、制御部４１は、メールアドレスの入力操作を受付ける宛先受付処理を実行する（ステップＳ１０９）。
【０１１３】
詳述すると、制御部４１の指示により、タブレット内蔵モニタ１６は、利用者のメールアドレスの入力を受付けるアドレス入力画面２４０を表示する。なお、アドレス入力画面２４０は、二人の利用者それぞれがタッチペンを用いて個別に、メールアドレスを入力できるように構成している。
【０１１４】
このアドレス入力画面２４０は、図１３に示すように、画面上部に「アドレスを入力してね」という操作案内と、アドレスを入力する宛先入力欄２４１（２４１ａ，２４１ｂ）と、英字ボタン２４２（２４２ａ，２４２ｂ）と、数字ボタン２４３（２４３ａ，２４３ｂ）と、記号ボタン２４４（２４４ａ，２４４ｂ）と、操作を１つ前に戻す戻るボタン２４５（２４５ａ，２４５ｂ）、操作を最初からやり直すやり直しボタン２４６（２４６ａ，２４６ｂ）と、入力したメールアドレスを確定する決定ボタン２４７（２４７ａ，２４７ｂ）とを表示している。
【０１１５】
宛先入力欄２４１にメールアドレスを入力した利用者が決定ボタン２４７を押下すると、制御部４１は、印刷画像ＰＲをシール紙４３３に印刷する印刷処理を実行する（ステップＳ１１０）。詳述すると、制御部４１は、レイアウト選択処理で利用者が選択した印刷レイアウトに基づいて配置した印刷画像ＰＲをシール紙４３３に印刷して写真シールを作成する。
【０１１６】
この際、制御部４１の指示により、プリンタ４３１は、図１４に示すように、印刷画像ＰＲに対して固有のＩＤ情報２５１を付与するとともに、写真シール２５０における外縁部分２５２の色と異なる色で、外縁部分２５２の右下にＩＤ情報２５１を印字する。
【０１１７】
さらに、制御部４１は、通信回線２を介して印刷画像ＰＲ、ＩＤ情報２５１、及びメールアドレスを関連付けて配信サーバー３に送信する携帯配信データ送信処理を実行する（ステップＳ１１１）。この際、配信サーバー３のサーバー制御部３３は、受信した印刷画像ＰＲ、ＩＤ情報２５１、及びメールアドレスを関連づけて、サーバー記憶部３１に記憶するとともに、メールアドレスに対して印刷画像ＰＲの取得方法を記載したメールを配信する。
【０１１８】
印刷画像ＰＲをシール紙４３３に印刷開始すると、制御部４１は、利用者に対して撮影空間Ｓから退出して、写真シール排出口１９に移動するよう促す音声案内をスピーカ１５に出力する。  
印刷処理が終了すると、制御部４１は、シール排出処理を実行し（ステップＳ１１２）、印刷が完了したシール紙４３３を写真シール排出口１９から排出し、利用者に写真シール２５０として提供して写真シール作成ゲーム処理を終了する。
【０１１９】
なお、配信サーバー３から印刷画像ＰＲの取得方法に関するメールを受信した利用者は、メールに従って携帯電話５を操作して配信サーバー３にアクセスし、写真シール２５０に印字されたＩＤ情報２５１を入力して印刷画像ＰＲを取得する。
【０１２０】
また、ステップＳ１０３において、利用者によりＢコースボタン２０２が押下されると（ステップＳ１０３：２）、制御部４１は、制限情報テーブル５０を読み出して、利用者が選択したコースに対応する合成用画像名欄に基づいて、利用者に選択させる合成用画像を取得する。
【０１２１】
ここでは、Ｂコースに分類された合成用画像名欄に１つの合成用画像が登録されているため、制御部４１は、上述したステップＳ１０４に相当する画像選択処理をスキップして、撮影処理を実行する（ステップＳ１１３）。なお、撮影処理は、上述したステップＳ１０５と同様の処理のため、詳しい説明を省略する。
【０１２２】
撮影処理を終了すると、制御部４１は、制限情報テーブル５０を読み出して、利用者が選択した合成用画像に対応するテーブル画像欄から合成画像に重ね合わせて合成可能なフレーム画像の枚数を参照する。
【０１２３】
ここでは、Ｂコースに分類された合成用画像に対応するフレーム画像欄に「０」が登録されているため、制御部４１は、上述したステップＳ１０６に相当するフレーム画像選択処理をスキップして、落書き編集処理を実行する（ステップＳ１１４）。なお、落書き編集処理は、上述したステップＳ１０７と同様の処理のため、詳しい説明を省略する。
【０１２４】
落書き編集処理を終了すると、制御部４１は、印刷レイアウト選択処理（ステップＳ１１５）、宛先受付処理（ステップＳ１１６）、印刷処理（ステップＳ１１７）、携帯配信データ送信処理（ステップＳ１１８）、及びシール排出処理（ステップＳ１１９）をこの順番で実行したのち、写真シール作成ゲーム処理を終了する。
【０１２５】
なお、ステップＳ１１５の印刷レイアウト選択処理、ステップＳ１１６の宛先受付処理、ステップＳ１１７の印刷処理、ステップＳ１１８の携帯配信データ送信処理、及びステップＳ１１９のシール排出処理は、上述したステップＳ１０８からステップＳ１１２と同様の処理のため、詳しい説明を省略する。
【０１２６】
また、ステップＳ１０３において、利用者によりＣコースボタン２０３が押下されると（ステップＳ１０３：３）、制御部４１は、記憶部４２の制限情報テーブル５０を読み出して、利用者が選択したコースに対応する合成用画像名欄に基づいて、利用者に選択させる合成用画像を取得する。ここでは、Ｃコースに分類された合成用画像名欄に基づいて、記憶部４２から２つの合成用画像を取得する。
【０１２７】
その後、制御部４１は、画像選択処理を実行する（ステップＳ１２０）。なお、画像選択処理は、上述したステップＳ１０４と同様の処理のため、詳しい説明を省略する。  
画像選択処理を終了すると、制御部４１は、制限情報テーブル５０に基づいて、撮影処理を実行したのち（ステップＳ１２１）、フレーム画像選択処理を実行する（ステップＳ１２２）。なお、ステップＳ１２１の撮影処理、及びステップＳ１１２のフレーム画像選択処理は、上述したステップＳ１０５、及びステップＳ１０６と同様の処理のため、詳しい説明を省略する。
【０１２８】
フレーム画像選択処理を終了すると、制御部４１は、制限情報テーブル５０を読み出し、合成用画像に対応する落書き編集欄から落書き編集の可否を参照する。ここでは、Ｃコースに分類された合成用画像に対応する落書き編集欄に全て「不可」が登録されているため、制御部４１は、上述したステップＳ１０７に相当する落書き編集処理をスキップする。
【０１２９】
さらに、制御部４１は、制限情報テーブル５０を読み出し、選択された合成用画像に対応する印刷レイアウト欄から１枚のシール紙４３３に印刷可能な画像の枚数を参照する。ここでは、Ｃコースに分類された合成用画像に対応する印刷レイアウト欄の全てに「１」が登録されているため、制御部４１は、上述したステップＳ１０８に相当する印刷レイアウト選択処理をスキップする。
【０１３０】
その後、制御部４１は、制限情報テーブル５０を読み出して、選択された合成用画像に対応する携帯配信欄から携帯電話５への配信可否を参照する。ここでは、Ｃコースに分類された合成用画像に対応する携帯配信欄に全て「不可」が登録されているため、制御部４１は、上述したステップＳ１０９に相当する宛先受付処理をスキップして、印刷処理を実行する（ステップＳ１２３）。
【０１３１】
印刷処理を実行すると、制御部４１は、撮影画像と合成用画像とを合成した合成画像を印刷画像ＰＲとしてシール紙４３３に印刷して写真シールを作成する。この際、制御部４１の指示により、プリンタ４３１は、図１５に示すように、印刷画像ＰＲに対して固有のＩＤ情報２５１を付与するとともに、写真シール２５０における外縁部分２５２の色と同色で、外縁部分２５２の右下にＩＤ情報２５１を印字する。なお、利用者に対してＩＤ情報２５１を不可視状態にした写真シール２５０が提供されるため、利用者は、配信サーバー３にアクセスして印刷画像ＰＲを取得することができない。
【０１３２】
さらに、制御部４１は、通信回線２を介して印刷画像ＰＲ及びＩＤ情報２５１を関連づけて配信サーバー３に送信する画像送信処理を実行する（ステップＳ１２４）。なお、配信サーバー３のサーバー制御部３３は、受信した印刷画像ＰＲ及びＩＤ情報２５１を関連づけて、サーバー記憶部３１に記憶する。
【０１３３】
印刷画像ＰＲをシール紙４３３に印刷開始すると、制御部４１は、利用者に対して撮影空間Ｓから退出して、写真シール排出口１９に移動するよう促す音声案内をスピーカ１５に出力する。
【０１３４】
印刷処理が終了すると、制御部４１は、シール排出処理を実行し（ステップＳ１２５）、印刷が完了したシール紙４３３を写真シール排出口１９から排出し、利用者に写真シールとして提供して写真シール作成ゲーム処理を終了する。
【０１３５】
次に、利用者に対して写真シールを提供する写真シール作成装置４と、配信サーバー３とで構成した写真シール作成システム１において、写真シール作成装置４の記憶部４２に記憶している合成用画像を更新する方法について、図１６及び図１７を用いて詳しく説明する。
【０１３６】
なお、図１６は写真シール作成装置４における電源投入更新処理の動作のフローチャートを示し、図１７は配信サーバー３における更新データ配信処理の動作のフローチャートを示している。
【０１３７】
また、配信サーバー３０のサーバー記憶部３１には、少なくとも更新された合成用画像、制限情報テーブル、及び更新されたことを示す更新情報を関連付けて記憶しているものとする。
【０１３８】
まず、写真シール作成装置４の電源が投入されると、制御部４１は、図１６に示すように、配信サーバー３に対して、合成用画像の更新有無を配信サーバー３に問い合わせる問合せ情報を送信する問合せ情報送信処理を実行する（ステップＳ５０１）。
【０１３９】
一方、配信サーバー３のサーバー制御部３３は、図１７に示すように、更新データ配信処理を開始すると、写真シール作成装置４からの問合せ情報を受信したか否かを判定する（ステップＳ６０１）。問合せ情報を受信していなければ（ステップＳ６０１：Ｎｏ）、サーバー制御部３３は、問合せ情報を受信するまで処理を待機する。
【０１４０】
そして、問合せ情報を受信すると（ステップＳ６０１：Ｙｅｓ）、サーバー制御部３３は、受信した問合せ情報に基づいて写真シール作成装置４に対して、更新情報を送信する更新情報送信処理を実行する（ステップＳ６０２）。この更新情報は、写真シール作成装置４に提供可能な合成用画像群の更新日時、あるいはバージョン情報などで構成している。
【０１４１】
図１６のステップＳ５０１に戻り、問合せ情報送信処理を終了すると、写真シール作成装置４の制御部４１は、配信サーバー３から更新情報を受信したか否かを判定する（ステップＳ５０２）。更新情報を受信していなければ（ステップＳ５０２：Ｎｏ）、制御部４１は、更新情報を受信するまで処理を待機する。
【０１４２】
一方、更新情報を受信すると（ステップＳ５０２：Ｙｅｓ）、制御部４１は、更新情報に基づいて、更新された合成用画像の有無を確認する更新情報確認処理を実行する（ステップＳ５０３）この際、制御部４１は、記憶部４２に記憶している複数の合成用画像の更新日時、あるいはバージョン情報と、更新情報の更新日時やバージョン情報とを比較して更新された合成用画像の有無を確認する。
【０１４３】
その後、制御部４１は、合成用画像が更新されているか否かを判定する（ステップＳ５０４）。合成用画像が更新されていなければ（ステップＳ５０４：Ｎｏ）、制御部４１は、電源投入更新処理を終了する。
【０１４４】
一方、合成用画像が更新されていれば（ステップＳ５０４：Ｙｅｓ）、制御部４１は、配信サーバー３に対して更新された合成用画像の配信を要求する配信要望情報を送信する配信要望情報送信処理を実行する（ステップＳ５０５）。
【０１４５】
図１７のステップＳ６０２に戻り、更新情報送信処理を終了すると、配信サーバー３のサーバー制御部３３は、配信要望情報を受信したか否かを判定する（ステップＳ６０３）。配信要望情報を受信すると（ステップＳ６０３：Ｙｅｓ）、サーバー制御部３３は、配信要望情報に基づいて、更新された合成用画像、及び合成用画像に関連付けられた制限情報テーブルを配信データとして写真シール作成装置４に配信する配信データ送信処理を実行する（ステップＳ６０４）。
【０１４６】
一方、ステップＳ６０３において、配信要望情報を受信していなければ（ステップＳ６０３：Ｎｏ）、サーバー制御部３３は、更新情報送信処理を実行してから所定の時間が経過したか否かを判定する（ステップＳ６０５）。更新情報送信処理を実行してから所定の時間経過していなければ（ステップＳ６０５：Ｎｏ）、サーバー制御部３３は、処理をステップＳ６０３に戻す。
【０１４７】
更新情報送信処理を実行してから所定の時間経過していれば（ステップＳ６０５：Ｙｅｓ）、サーバー制御部３３は、配信要望情報の送信が不要な状態、あるいは通信が途絶えたと判定し、更新データ配信処理を終了する。
【０１４８】
図１６のステップＳ５０５に戻り、配信要望情報送信処理を終了すると、写真シール作成装置４の制御部４１は、更新データを受信したか否かを判定する（ステップＳ５０６）。更新データを受信していなければ（ステップＳ５０６：Ｎｏ）、制御部４１は、更新データを受信するまで処理を待機する。
【０１４９】
一方、更新データを受信すると（ステップＳ５０６：Ｙｅｓ）、制御部４１は、受信した更新データに基づいて、記憶部４２の合成用画像、及び制限情報テーブル５０を更新する更新処理を実行する（ステップＳ５０７）。この際、制御部４１は、写真シール作成ゲーム処理におけるコース選択画面２００、及び画像選択画面２１０に更新された合成用画像を選択可能に更新する。  
その後、制御部４１は、電源投入更新処理を終了して、写真シール作成ゲーム処理を開始する。
【０１５０】
以上のような動作を実現する写真シール作成装置４、写真シール作成システム１、及び写真シール作成方法は、合成用画像の提供元からの要望を満足するとともに、利用者の満足度を向上することができる。
【０１５１】
具体的には、遊戯を開始する際、タブレット内蔵モニタ１６に表示したコース選択画面、及び画像選択画面２１０で合成用画像を選択させることで、写真シール作成装置４、及び写真シール作成方法は、合成用画像を選択した後工程、例えば、撮影、編集、合成、あるいは印刷などの工程において、合成用画像の利用に関する制限を制御部４１で確実に遵守することができる。
【０１５２】
さらに、制限情報テーブル５０を合成用画像に関連付けることで、例えば、遊戯を開始する際、複数の合成用画像から１つの合成用画像を利用者に選択させる場合であっても、写真シール作成装置４、及び写真シール作成方法は、制御部４１によって、選択された合成用画像ごとに利用者による操作の受付けを異ならせて制限することができる。
【０１５３】
例えば、合成用画像の提供元からの要望により、落書き編集が許容されていない合成用画像の場合、制限情報テーブル５０における落書き編集欄を不可とすることで、写真シール作成装置４、及び写真シール作成方法は、利用者による編集操作の受付けを容易に制限することができる。
【０１５４】
これにより、写真シール作成装置４、及び写真シール作成方法は、合成用画像を選択した後工程で合成用画像が意図しない手段で加工されることを防止し、オリジナル性を確保したまま写真シール２５０として利用者に提供することができる。このため、合成用画像の提供元は、写真シール作成装置４に対して、複数種類の合成用画像を安心して提供することができる。
【０１５５】
一方、利用者に対して複数種類の合成用画像を提供できることで、写真シール作成装置４、及び写真シール作成方法は、所望する合成用画像で利用者がより遊戯を楽しむことができるため、利用者の満足度を向上することができる。  
さらに、写真シール作成装置４を設置する設置施設に対して、写真シール作成装置４、及び写真シール作成方法は、複数種類の合成用画像を用いた撮影が可能になることによって集客効果を提供することができる。
【０１５６】
つまり、写真シール作成装置４、及び写真シール作成方法は、合成用画像が権利保護対象であっても、合成用画像の提供元、利用者、及び設置施設という三者に対する満足度を向上することができる。  
従って、写真シール作成装置４、及び写真シール作成方法は、合成用画像の提供元からの要望を満足するとともに、少なくとも利用者の満足度を向上することができる。
【０１５７】
また、制限情報テーブル５０に合成用画像に対する編集可否を登録し、合成用画像に対する編集が不可の場合、編集画面２２０による編集操作の受付けをスキップすることにより、写真シール作成装置４は、合成用画像に対する編集を合成用画像ごとに制限することができ、合成用画像のオリジナル性を確実に保護することできる。
【０１５８】
さらに、合成画像の編集を不可とした場合であっても、利用者は、合成用画像のキャラクターや人物と共に撮影した写真シール２５０を取得するという遊戯の主目的を達成することができる。  
従って、写真シール作成装置４は、合成用画像の編集を不可とした場合であっても、利用者の満足度を低下させることなく、合成用画像の利用に関する制限を遵守することができる。
【０１５９】
また、制限情報テーブル５０に撮り直し回数、及び撮影枚数を登録し、撮影案内画面における撮り直しの受付け回数を合成用画像ごとに制限することにより、写真シール作成装置４は、一人あるいは一組あたりの利用時間を合成用画像に応じて短縮することができ、利用者の満足度を損なうことなく、利便性を向上することができる。
【０１６０】
具体的には、写真シール作成装置４は、利用者の満足度向上のため、何度か撮り直しを可能にしている、あるいは複数枚の撮影画像を取得できることが多い。
【０１６１】
ところが、合成用画像がキャラクターや人物の場合、コレクション性が高くなることから、デコレーション画像などの合成用画像の場合に比べて、写真シール作成装置４を利用する利用者が増加することがある。このため、一人あるいは一組の利用者あたりの利用時間が増加して、写真シール作成装置４を利用したい利用者が長時間待たされることとなり、利用者に対する利便性が低下することがある。特に、撮影と編集とを同一空間で行う写真シール作成装置４の場合、利用者の待ち時間がより長くなり、利用者に対する利便性がさらに低下することとなる。
【０１６２】
そこで、写真シール作成装置４は、撮り直し回数、及び撮影枚数を制限することで、一人あるいは一組の利用者あたりの利用時間を低減することができる。例えば、人気の高い期間限定の合成用画像の場合には、数回の撮り直しを許容せず、取得できる撮影画像を１枚だけにすることで、利用時間の短縮を図ることができる。これにより、期間限定の合成用画像を用いた遊戯をより多くの利用者が楽しむことができる。
【０１６３】
さらに、撮り直し回数、及び撮影枚数を制限した場合であっても、利用者は、合成用画像のキャラクターや人物と共に撮影した写真シール２５０を取得するという遊戯の主目的を達成することができるため、満足度を損なわれることがない。  
従って、写真シール作成装置４は、一人あるいは一組あたりの利用時間を短縮することで、利用者の満足度を損なうことなく、利便性を向上することができる。
【０１６４】
また、制限情報テーブル５０に合成用画像に対するフレーム画像の重ね合わせ枚数を登録し、制限情報テーブル５０に基づいて、合成用画像ごとにフレーム選択画面によるフレーム画像の選択を受付ける、あるいはフレーム画像の選択操作をスキップすることにより、写真シール作成装置４は、合成画像にフレーム画像が重なることによる不具合を防止することができる。
【０１６５】
具体的には、例えば、予めフレームがデザインされた合成用画像の場合、合成用画像のフレーム部分にフレーム画像が重なって、そのデザイン性が損なわれることがある。あるいは、合成用画像にフレーム画像が重ね合わせた際、ロゴやコピーライト表記が隠れるおそれがある。このため、合成用画像の利用に関する制限として、フレーム画像の重ね合わせ枚数を制限されることが想定される。
【０１６６】
そこで、写真シール作成装置４は、フレーム選択画面によるフレーム画像の選択を制限情報テーブル５０に基づいて受付けることで、合成用画像にフレーム画像が重なることによる不具合を防止することができる。例えば、制限情報テーブル５０におけるテーブル画像欄を「０」とすることで、フレーム画像の合成を禁止することができる。このため、写真シール作成装置４は、合成用画像の提供元からの要望を満足することができる。
【０１６７】
さらに、フレーム画像の重ね合わせを制限した場合であっても、利用者は、合成用画像のキャラクターや人物と共に撮影した写真シール２５０を取得するという遊戯の主目的を達成することができるため、満足度を損なわれることがない。  
従って、写真シール作成装置４は、合成用画像にフレーム画像が重なることで、提供元の要望を満足しない不具合が生じた写真シール２５０が提供されることを防止できる。
【０１６８】
また、制限情報テーブル５０にシール紙４３３に配置可能な合成用画像の枚数を登録し、制限情報テーブル５０に基づいて、合成用画像ごとにレイアウト選択画面２３０によるレイアウトの選択を受付ける、あるいはレイアウトの選択操作をスキップすることにより、例えば、提供元の要望によって１枚のシール紙４３３に対して許容される合成用画像の枚数が制限された場合であっても、印刷画像ＰＲが適切に配置された写真シール２５０を利用者に提供することができる。
【０１６９】
具体的には、写真シール２５０のレイアウトは、１枚のシール紙４３３に対して何枚、あるいは何種類の印刷画像ＰＲを配置するかによって決定される。このため、１枚のシール紙４３３に配置可能な合成用画像の枚数が制限される、つまり、１枚のシール紙４３３に配置可能な印刷画像ＰＲの枚数が制限される場合、配置可能な合成用画像の枚数に応じて利用者が選択可能なレイアウトを制限する必要がある。
【０１７０】
そこで、写真シール作成装置４は、写真シールに配置可能な合成用画像の枚数を制限された場合、制御部４１によって利用者が選択可能なレイアウトを制限することで、一枚のシール紙４３３に印刷画像ＰＲを適切に配置できないようなレイアウトを利用者が誤って選択することを防止できる。
【０１７１】
さらに、利用者が選択可能なレイアウトを制限した場合であっても、利用者は、合成用画像のキャラクターや人物と共に撮影した写真シール２５０を取得するという遊戯の主目的を達成することができるため、満足度を損なわれることがない。
【０１７２】
従って、写真シール作成装置４は、写真シール２５０に配置可能な合成用画像の枚数を制限された場合、利用者が選択可能なレイアウトを制限することで、利用者の利便性を向上するとともに、印刷画像ＰＲが適切に配置された見栄えの良い写真シール２５０を利用者に提供することができる。
【０１７３】
また、写真シール作成装置４と配信サーバー３とを備えた写真シール作成システム１、及び写真シール作成方法において、制限情報テーブル５０に合成用画像を用いた印刷画像ＰＲの配信可否を登録し、合成用画像を用いた印刷画像ＰＲが配信不可の場合、アドレス入力画面２４０におけるメールアドレスの入力操作の受付けをスキップすることにより、合成用画像の提供元からの要望を満足するとともに、利用者の満足度を向上することができる。
【０１７４】
具体的には、合成用画像と撮影画像とを合成した印刷画像ＰＲは、デジタルデータであることから、加工、複製、あるいは配信が容易に可能であり、合成用画像の提供元によっては、これを厳しく制限していることがある。
【０１７５】
そこで、写真シール作成システム１は、合成用画像を用いた印刷画像ＰＲが配信不可の場合、メールアドレスの入力を禁止することで、利用者への印刷画像ＰＲの配信を禁止し、合成用画像が提供元の意図しない用途で用いられることを防止できる。これにより、写真シール作成システム１は、合成用画像の利用に関する制限を遵守して、提供元からの要望を容易に満足することができる。
【０１７６】
さらに、合成用画像を用いた印刷画像ＰＲの配信を禁止した場合であっても、利用者は、合成用画像のキャラクターや人物と共に撮影した写真シール２５０を取得するという遊戯の主目的を達成することができるため、満足度を損なわれることがない。  
従って、写真シール作成システム１は、合成用画像の提供元からの要望を満足するとともに、利用者の満足度を向上することができる。
【０１７７】
また、合成用画像を用いた印刷画像ＰＲが配信可の場合、ＩＤ情報２５１を外縁部分２５２とは異なる色で印字し、合成用画像を用いた印刷画像ＰＲが配信不可の場合、ＩＤ情報２５１を外縁部分２５２と同色で印字することにより、印刷画像ＰＲに対するＩＤ情報２５１の割り当てを、合成用画像を用いた印刷画像ＰＲの配信可否によって決定することを不要にできる。そして、写真シール２５０を利用者に提供する際、合成用画像を用いた印刷画像ＰＲの配信可否によって、ＩＤ情報２５１を容易に可視、あるいは不可視にした写真シール２５０を提供することができる。
【０１７８】
また、合成用画像を用いた印刷画像ＰＲの利用者への配信が不可の場合、印刷画像ＰＲにＩＤ情報２５１を関連付けて配信サーバー３に送信することにより、合成用画像を用いた印刷画像ＰＲの配信可否に関わらず、写真シール作成システム１は、設置場所ごとに人気の合成用画像、合成用画像の利用率、利用者の性別、グループなどを一括して容易に把握することができる。これにより、写真シール作成システム１は、より利用者が所望する合成用画像や、設置場所に適した合成用画像を提供することができる。
【０１７９】
この際、合成用画像を用いた印刷画像ＰＲの配信が可の場合には、ＩＤ情報２５１を可視状態で印字した写真シール２５０が利用者に提供されるため、写真シール作成システム１は、利用者が携帯電話５を操作してＩＤ情報２５１に基づいてアクセスすることで、配信サーバー３から印刷画像ＰＲを取得することができる。
【０１８０】
一方、合成用画像を用いた印刷画像ＰＲの配信が不可の場合には、ＩＤ情報２５１を不可視状態にした写真シール２５０が利用者に提供されるため、写真シール作成システム１は、利用者が不正に配信サーバー３にアクセスして印刷画像ＰＲを取得することを防止できる。
【０１８１】
従って、写真シール作成装置４は、合成用画像を用いた印刷画像ＰＲの配信可否によって、ＩＤ情報２５１を容易に可視状態、あるいは不可視状態にした写真シール２５０を提供するとともに、仮にＩＤ情報２５１が配信サーバー３に記憶されていても、意図しないアクセスを防止することができる。
【０１８２】
また、配信サーバー３に、少なくとも更新された合成用画像、制限情報テーブル、及び更新されたことを示す更新情報を関連付けて記憶するサーバー記憶部３１と、更新情報の問い合わせに対して更新情報を写真シール作成装置４に送信するとともに、更新された合成用画像、及び制限情報テーブルを写真シール作成装置４に配信するサーバー制御部３３を備え、写真シール作成装置４に、更新情報を問い合わせて、更新情報に基づいて更新された合成用画像、及び制限情報テーブルの配信を配信サーバー３に要望し、配信サーバー３から取得した更新された合成用画像、及び制限情報テーブルを記憶部４２に記憶してタブレット内蔵モニタ１６に表示したコース選択画面２００、及び画像選択画面２１０で選択可能にする制御部４１を備えたことにより、写真シール作成装置４に記憶される合成用画像を適宜のタイミングで自動的に変更、あるいは追加することができる。
【０１８３】
これにより、例えば、映画館などであれば、上映内容に応じて合成用画像を自動的に変更することができる。このため、施設を利用する利用者が所望する合成用画像を、適切なタイミングで利用可能な状態にすることができる。  
従って、写真シール作成システム１は、合成用画像を自動的に更新、あるいは追加することで、利用者の満足度を向上することができる。
【０１８４】
なお、上述の実施形態において、撮影と編集とを撮影空間Ｓ内で行う写真シール作成装置４としたが、これに限定せず、撮影ブースと少なくとも１つの編集ブースとで構成した写真シール作成装置としてもよい。  
また、硬貨の投入を受付けると、コース選択画面２００を表示したが、これに限定せず、選択可能な合成用画像を一覧表示してもよい。  
また、複数の合成用画像から１つを選択許容したが、これに限定せず、複数の合成用画像を選択してもよい。  
また、複数のフレーム画像から１つを選択許容したが、これに限定せず、複数のフレーム画像から制限情報テーブル５０の制限内容の範囲内であれば、複数枚選択してもよい。
【０１８５】
また、コース選択画面２００において、合成用画像の枚数、撮影枚数などを表示したが、これらを表示しなくともよい。  
また、画像選択画面２１０において、合成用画像表示部２１２，２１３，２１４、及び戻るボタン２１５を表示したが、これらを表示しなくてもよい。
【０１８６】
また、合成用画像を所定条件で分類分けして構成したコース名ごとに異なる制限を制限情報テーブル５０に登録したが、これに限定せず、合成用画像ごとに異なる制限を登録する構成としてもよい。例えば、同じコース内において、合成用画像ごとに異なる制限を登録する構成としてもよい。  
また、合成用画像に制限情報テーブル５０を関連付けて記憶部４２に記憶したが、これに限定せず、合成用画像を利用者が選択した後における利用者による操作の受付けを制限する制限情報を付与した合成用画像を記憶部４２に記憶する構成としてもよい。
【０１８７】
また、制限情報テーブル５０に登録した内容を、撮り直し回数、撮影枚数、フレーム画像、落書き編集の可否、印刷レイアウト、及び携帯配信の可否としたが、これに限定せず、合成用画像を利用者が選択した後における利用者による操作の受付けを制限する構成であれば、任意の制限内容としてもよい。さらに、制限情報テーブル５０に、合成用画像に応じて撮影画角や照明タイミングなどを制限内容として登録してもよい。
【０１８８】
また、制限情報テーブル５０の登録内容の範囲であれば、写真シール作成装置４を設置している施設の係員によって、利用者による操作の受付けを任意に制限してもよい。例えば、制限情報テーブル５０の撮影枚数欄の枚数を上限６枚とし、係員による設定変更によって、利用者が４枚まで撮影可能に変更してよい。あるいは、制限情報テーブル５０に登録された撮影枚数の範囲内で、撮影する枚数を利用者によって選択許容する構成としてもよい。  
また、制限情報テーブル５０の登録内容を、写真シール作成装置４を設置している施設の係員によって編集可能にしてもよい。
【０１８９】
また、ステップＳ１０８の印刷レイアウト選択処理において、分割数の異なる複数の印刷レイアウトを選択させたが、これに限定せず、同じ分割数であっても、分割サイズが異なる印刷レイアウトを選択させてもよい。例えば、同じ６分割された印刷レイアウトであっても、分割サイズが異なる複数の印刷レイアウトから所望する印刷レイアウトを選択するようにしてもよい。
【０１９０】
また、合成画像を編集した編集画像、あるいはこれにフレーム画像を合成した画像を印刷画像としたが、これに限定せず、印刷レイアウト選択処理において選択されたレイアウトに配置した画像群を新しい印刷画像としてもよい。この際、ＩＤ情報を新しい印刷画像に付与するとともに、新しい印刷画像を利用者に配信するようにしてもよい。
【０１９１】
また、合成用画像を用いた印刷画像ＰＲの携帯電話５への配信を制限したが、これに限定せず、通信回線２を介してパソコンや携帯端末への配信を制限してもよい。あるいは、リムーバブルメディア４４ａへの印刷画像ＰＲの書き込みを制限してもよい。
【０１９２】
また、利用者がＡコース、あるいはＢコースを選択した際、印刷レイアウト選択処理後、宛先受付処理を実行したが、これに限定せず、印刷画像を携帯電話に配信するか否かを選択させる処理を実行したのち、利用者が携帯電話５への配信を希望する場合、宛先受付処理を実行する構成としてもよい。
【０１９３】
この際、利用者が携帯電話５への配信を希望しない場合、制御部４１は、印刷処理において、シール紙４３３における外縁部分２５２の色と同色でＩＤ情報２５１を印字したのち、図７のステップＳ１２４の画像送信処理を実行して配信サーバー３に印刷画像ＰＲを送信してもよい。
【０１９４】
また、印刷画像ＰＲをシール紙４３３に印刷するとともに、携帯電話５に配信したが、これに限定せず、携帯電話５に配信する場合、印刷画像ＰＲをシール紙４３３に印刷する否かを利用者に選択させる構成としてもよい。  
また、携帯電話５への配信が不可の場合、ＩＤ情報２５１を印字する構成としたが、これに限定せず、ＩＤ情報２５１を印字しなくてもよい。
【０１９５】
また、写真シール作成装置４の電源投入更新処理において、更新情報に基づいて合成用画像が更新されば、更新データを取得して、記憶部４２の合成用画像、及び制限情報テーブル５０を更新したが、これに限定せず、合成用画像が更新されていれば、任意に設定した期間を経て更新データを取得して合成用画像、及び制限情報テーブル５０を更新する、あるいは更新データを取得したのち任意に設定した期間を経て合成用画像、及び制限情報テーブル５０を更新する構成としてもよい。
【０１９６】
また、コース選択処理、あるいは画像選択処理で合成用画像を選択した後に利用者を撮影したが、これに限定せず、利用者を撮影した後、コース選択処理、画像選択処理を実行してもよい。この際、コース選択処理、あるいは画像選択処理で合成用画像を選択したあとにおける利用者の操作を制限情報テーブルに基づいて制限する。つまり、撮影画像に対するフレーム画像の合成や落書き編集などを遊戯としてもよい。
【０１９７】
この発明の構成と、上述の実施形態との対応において、
この発明の被写体は、実施形態の利用者Ｍに対応し、
以下同様に、
撮影手段は、カメラ１２に対応し、
記憶手段は、記憶部４２に対応し、
合成手段、操作制限手段、及び送信手段は、制御部４１に対応し、
所定の画像は、印刷画像ＰＲに対応し、
シールは、シール紙４３３に対応し、
印刷手段は、プリンタ４３１に対応し、
制限情報は、制限情報テーブル５０に対応し、
画像選択手段は、タブレット内蔵モニタ１６に表示したコース選択画面２００、及び画像選択画面２１０に対応し、
編集手段は、タブレット内蔵モニタ１６に表示した編集画面２２０に対応し、
撮影回数手段は、タブレット内蔵モニタ１６に表示した撮影案内画面に対応し、
フレーム選択手段は、タブレット内蔵モニタ１６に表示したフレーム選択画面に対応し、
レイアウト選択手段は、タブレット内蔵モニタ１６に表示したレイアウト選択画面２３０に対応し、
回線接続手段は、通信部４３に対応し、
付加情報は、ＩＤ情報２５１に対応し、
所有端末は、携帯電話５に対応し、
宛先情報は、メールアドレスに対応し、
宛先入力手段は、タブレット内蔵モニタ１６に表示したアドレス入力画面２４０に対応し、
サーバー記憶手段は、サーバー記憶部３１に対応し、
更新情報送信手段、及び更新配信手段は、サーバー制御部３３に対応し、
問合せ手段、配信要望手段、及び更新手段は、制御部４１に対応するが、
この発明は、上述の実施形態の構成のみに限定されるものではなく、多くの実施の形態を得ることができる。
【符号の説明】
【０１９８】
１…写真シール作成システム
２…通信回線
３…配信サーバー
４…写真シール作成装置
５…携帯電話
１２…カメラ
１６…タブレット内蔵モニタ
３１…サーバー記憶部
３３…サーバー制御部
４１…制御部
４２…記憶部
４３…通信部
５０…制限情報テーブル
２００…コース選択画面
２１０…画像選択画面
２２０…編集画面
２３０…レイアウト選択画面
２４０…アドレス入力画面
２５１…ＩＤ情報
４３１…プリンタ
４３３…シール紙
Ｇ１，Ｇ２，Ｇ３…合成用画像
Ｍ…利用者
Ｓ…撮影空間
Ｐ…撮影画像
ＰＧ…合成画像
ＰＲ…印刷画像
【図１】
2014174333.tif 000003
【図２】
2014174333.tif 000004
【図３】
2014174333.tif 000005
【図４】
2014174333.tif 000006
【図５】
2014174333.tif 000007
【図６】
2014174333.tif 000008
【図７】
2014174333.tif 000009
【図８】
2014174333.tif 000010
【図９】
2014174333.tif 000011
【図１０】
2014174333.tif 000012
【図１１】
2014174333.tif 000013
【図１２】
2014174333.tif 000014
【図１３】
2014174333.tif 000015
【図１４】
2014174333.tif 000016
【図１５】
2014174333.tif 000017
【図１６】
2014174333.tif 000018
【図１７】
2014174333.tif 000019